(57)【特許請求の範囲】
【請求項１】
溝部材と該溝部材に接合される側枠部材を有し、前記溝部材が底部に対して側部を折曲げた断面凹字状であり、前記側枠部材が前記溝部材の側部の内側に重合する側面部を有し、前記側部と側面部とを所要間隔で部分溶接接合し、前記溝部材の凹にガラス板が挿入されることを特徴とする防火戸のガラス窓枠構造。
【請求項２】
側枠部材を溝部材に対して熱膨張係数の大きな材質とした請求項１の防火戸のガラス窓枠構造。
【請求項３】
前記部分溶接はスポット溶接付けである請求項１の防火戸のガラス窓枠構造。
【発明の詳細な説明】
【０００１】
【発明の属する技術分野】
本発明は、火災時の延焼を防止する為に設けられる防火戸、特にガラス窓を有する防火戸のガラス窓枠構造に関するものである。
【０００２】
【従来の技術】
火災時の延焼を防止する為、通路等を防火戸で遮断しているが、防火戸にはガラスが設けられているものがある。
【０００３】
図５に於いて、従来の防火戸のガラス窓枠構造について説明する。
【０００４】
図中１は防火戸に設けられた窓枠１であり、該窓枠１にはガラス板２が嵌込まれるコーキング溝３が形成されている。前記ガラス板２を取付ける場合は、前記コーキング溝３に先ずガラスウール等の不燃材のバックアップ材４を嵌込み、前記ガラス板２をコーキング溝３に嵌込み、次にコーキング溝３とガラス板２との隙間にコーキング材５を充填し、該コーキング材５により前記ガラス板２を保持していた。
【０００５】
【発明が解決しようとする課題】
火災時に前記ガラス板２が直接、或は前記窓枠１を介して加熱される。ガラス板２が加熱され高温になると、ガラス板２は軟化し、形状を維持できなくなる。ガラス板２が軟化するとガラス板２が変形を起こし、序々に前記コーキング溝３から抜出し、窓枠１から脱落する。ガラス板２の脱落により窓が開放されると炎がガラス窓を突抜けて延焼を防ぐことができない。
【０００６】
本発明は加熱時でのガラス板の周縁部の拘束を強化し、ガラス板が窓枠より脱落しない様にしたものである。
【０００７】
【課題を解決するための手段】
本発明は、溝部材と該溝部材に接合される側枠部材を有し、前記溝部材が底部に対して側部を折曲げた断面凹字状であり、前記側枠部材が前記溝部材の側部の内側に重合する側面部を有し、前記側部と側面部とを所要間隔で部分接合し、前記溝部材の凹にガラス板が挿入される防火戸のガラス窓枠構造、或は更に側枠部材を溝部材に対して熱膨張係数の大きな材質とした防火戸のガラス窓枠構造、或は更に側枠部材と溝部材とをスポット溶接付けした防火戸のガラス窓枠構造に係るものであり、窓枠が加熱されることで外面側にある側枠部材がより加熱され、溝部材より大きな熱変形を生じ、この為側面部先端が溝中心側に迫出し、ガラス板をより強固に保持してガラス板の変形を拘束する。
【０００８】
【発明の実施の形態】
以下、図面を参照しつつ本発明の実施の形態を説明する。
【０００９】
図１中、図５中で示したものと同一のものには同符号を付してある。
【００１０】
窓枠８は溝部材９、該溝部材９の両側に設けられる対象形状の側枠部材１０から構成される。窓枠８は上部と下部は同様の構成であり、以下は下部について説明する。
【００１１】
前記溝部材９は底部９ａに対し両側部９ｂを立上げ断面を凹字状としたものであり、又該溝部材９の左右に設けられる前記側枠部材１０は表面部１０ａの両側部下方に折曲げ側面部１０ｂ、１０ｃを形成し、更に外側側の側面部１０ｃの端部を上方に折返して、全体の断面を略逆凹字状としたものである。
【００１２】
前記側枠部材１０の側面部１０ｂを、前記溝部材９の側部９ｂの内面側に重合させ、側面部１０ｂと側部９ｂとを所要間隔でスポット溶接をする。而して、前記溝部材９と両側枠部材１０が一体化され、中央にコーキング溝３を有する窓枠８が形成される。
【００１３】
該窓枠８へのガラス板２の組込みは前記したと同様に、前記コーキング溝３に先ずガラスウール等の不燃材のバックアップ材４を嵌込み、前記ガラス板２をコーキング溝３に嵌込み、次にコーキング溝３とガラス板２との隙間にコーキング材５を充填し、該コーキング材５により前記ガラス板２を保持する。
【００１４】
本実施の形態では、火災時に前記窓枠８の内、先ず露出した状態となっている側枠部材１０が加熱される。側枠部材１０の熱は前記コーキング材５を介してガラス板２に、又溝部材９に熱伝達される。熱伝達の過程で側枠部材１０と溝部材９間では温度差が生じ、この為溝部材９と側枠部材１０、特に側部９ｂ、側面部１０ｂ間で熱膨張差が生ずる。前記側部９ｂと側面部１０ｂとはスポット溶接により部分的に溶接されている為、図２に示される様に、溶接で拘束されていないスポット溶接とスポット溶接間で温度の高い側面部１０ｂがより膨脹し、コーキング溝３の内側に向かって膨らみ、全体的には波打った状態となる。コーキング溝３に対する側面部１０ｂの状態は図３（Ａ）、図３（Ｂ）となり、窓枠８が加熱されることで前記側面部１０ｂのスポット溶接されていない部分の下端がコーキング溝３の中心側に向かって迫出す状態となる。
【００１５】
而して、前記側枠部材１０の熱変形により前記コーキング溝３のガラス板２は両側の側面部１０ｂにより挾まれ、ガラス板２の縁部は側面部１０ｂにより強固に挾持される。従って、ガラス板２が加熱により軟化しても窓枠８から抜脱するのが抑止される。
【００１６】
尚、窓枠１に嵌込まれるガラスは、変形し難い網入りガラスとするのが好ましい。
【００１７】
又、溝部材９と側枠部材１０との接合はリベット付け、或はスポット溶接以外の溶接方法による部分溶接でもよい。又、溝部材９に対して側枠部材１０を熱膨張係数の大きな材質としてもよく、或は溝部材９と側枠部材１０間の熱伝達抵抗を大きくする為、側部９ｂと側面部１０ｂ間に断熱シートを介在させてもよい。更に、溝部材９と側枠部材１０とを接合した構成は窓枠８の上部のみとし、加熱時にガラス板２の少なくとも上辺部が窓枠８に保持される様にしてもよい。又、溝部材９の板厚を側枠部材１０に対して厚くし、側枠部材１０が溝部材９に対してより変形し易い様にしてもよい。
【００１８】
尚、本実施の形態に係る防火戸のガラス窓枠構造を実施した防火戸を、建築用防火戸の防火試験方法（ＪＩＳＡ１３１１）に基づき、加熱炉内で図４に示す加熱特性で１時間の耐火試験をしたところ、窓枠８からガラス板２が抜脱しないことが確認された。
【００１９】
【発明の効果】
以上述べた如く本発明によれば、窓枠が加熱され窓枠が熱変形することでガラス板の周縁部を把持する作用が生じ、窓枠によるガラス板の周縁部の拘束でガラス板の熱軟化でガラス板の形状が崩れるのを抑止し得、窓枠からガラス板が抜脱するのを防止する。
【図面の簡単な説明】
【図１】本発明の実施の形態を示す断面図である。
【図２】該実施の形態の加熱による窓枠の熱変形を示す説明図である。
【図３】（Ａ）（Ｂ）は加熱による窓枠の熱変形を示す説明図であり、（Ａ）は図２のＡ矢視図、（Ｂ）は図２のＢ矢視図である。
【図４】加熱試験特性を示す線図である。
【図５】従来例を示す断面図である。
【符号の説明】
２        ガラス板
３        コーキング溝
４        バックアップ材
５        コーキング材
８        窓枠
９        溝部材
１０      側枠部材
【図１】
0003571122.tif 000002
【図２】
0003571122.tif 000003
【図３】
0003571122.tif 000004
【図４】
0003571122.tif 000005
【図５】
0003571122.tif 000006